(57)【要約】【課題】  異なる形状のカメラモジュールを挿入固定可能な電子モジュール用ソケットを提供する。【解決手段】  電子モジュールＭを挿入係止させる挿入部２１ａを形成し、挿入部２１ａの側壁２３内側部には挿入された電子モジュールＭと係止して固定可能なソケット係止部２４を備えるソケット本体２からなる電子モジュール用ソケット１において、  挿入部２１ａに適合する形状の電子モジュールＭではモジュール係止部Ｍ５が形成され、ソケット係止部２４と係止固定可能であり、  ソケット本体２の挿入部２１ａより小さな電子モジュールＭ’では、内側が電子モジュールＭ’を挿入可能な形状からなり、外側がソケット本体２の挿入部２１ａ内に適合可能な形状を成すと共にソケット係止部２４と係止されるスペーサ係止部３３を設けたスペーサ３を介して挿入部２１ａへ挿入して係止固定可能な構成とする。【選択図】  図１
2006079871.tif 000002
【特許請求の範囲】
【請求項１】
電子モジュール（Ｍ）を挿入係止させる挿入部（２１ａ）を形成し、挿入部（２１ａ）の側壁（２３）には挿入された電子モジュール（Ｍ）を係止して固定するソケット係止部（２４）を備えるソケット本体（２）からなる電子モジュール用ソケットにおいて、
挿入部（２１ａ）に適合する形状の電子モジュール（Ｍ）ではモジュール係止部（Ｍ５）が形成され、ソケット係止部（２４）と係止固定可能であり、
ソケット本体（２）の挿入部（２１ａ）より小さな電子モジュール（Ｍ’）では、内側が電子モジュール（Ｍ’）を挿入可能な形状からなり、外側がソケット本体（２）の挿入部（２１ａ）内に適合可能な形状を成すと共にソケット係止部（２４）と係止されるスペーサ係止部（３３）を設けたスペーサ（３）を介して挿入部（２１ａ）へ挿入し係止固定可能であることを特徴とする電子モジュ−ル用ソケット。
【発明の詳細な説明】
【技術分野】
【０００１】
この発明は、携帯電話等で用いるカメラモジュール等の電子モジュールを基板等の電子部材に取り付ける際の電子モジュールソケットに関する。
【背景技術】
【０００２】
従来、携帯電話に用いるカメラモジュール等の電子モジュールをプリント配線基板等の電子部材に電気的な導通状態を維持させて固定するためには、カメラモジュールを挿入固定可能な形状に形成したカメラモジュール用のモジュールソケットを予めプリント配線基板に取り付けておき、該ソケットへカメラモジュールを挿入して係止することで、カメラモジュールに設けられた接続端子と該ソケットに設けた接続端子とを接続させて電気的な接続を行い、該ソケットを経由してプリント配線基板とカメラモジュールとを電気的に接続していた。
【０００３】
上記従来例としては、例えば、『カメラモジュールの基板への実装方法』（特開２００４−６３７８７、以後従来例１という。）に記載されるカメラモジュール用のコネクタ１４である。
従来例１では、図９に表すように、カメラモジュール用のコネクタ１１４を、カメラモジュール１１１を挿入可能な形状に形成し、カメラモジュール１１１の接続端子部と接続させる端子部を挿入されたカメラモジュール１１１の接続端子部と対向させて配置させ、下端にプリント配線基板１１２に設けられた接続端子１１３と接続させるための取り付け端子１１５を配置させて構成する。
このように構成したカメラモジュール用のコネクタ１１４を予めプリント配線基板１１２に半田付けしておき、部品の組立段階で、カメラモジュール１１１を該コネクタ１１４に挿入固定することで、カメラモジュール１１１をプリント配線基板１１２に接続固定していた。
【０００４】
これにより、従来例１以前に行われていたような、カメラモジュール１１１の接続端子部を直接プリント配線基板１１２に半田付けする必要がなくなり、カメラモジュール１１１のプリント配線基板１１２への組付けが容易になった。
また、従来例１のようなカメラモジュール用のコネクタ１１４は、カメラモジュール１１１が一辺１０ｍｍ程度の方形体である。そして、カメラモジュール１１１の底面にはカメラモジュール１１１と該コネクタ１１４とを電気的に接続させるための接触部を２０箇所程度設けてあり、該コネクタ１１４と電気的に接続される。従って、カメラモジュール１１１を該コネクタ１１４に挿入固定した際にカメラモジュール１１１と該コネクタ１１４との間に必要以上に遊びがあると、相互の接触部がずれてしまい良好な接触状態が維持できないばかりか、接触できない状態となってしまうので、該コネクタ１１４のカメラモジュール１１１が挿入される挿入部の大きさは電気的な接続が良好に行えるようカメラモジュール１１１の大きさと同じ大きさに構成される。
【０００５】
【特許文献１】特開２００４−６３７８７号公報
【発明の開示】
【発明が解決しようとする課題】
【０００６】
しかしながら、技術の向上に伴い、カメラモジュール等の電子モジュールは日々小型化しているのが現状である。また、同一のプリント配線基板を用いて異なるグレードの機種を製造することもまた一般に行われている。
してみると、例えば従来例１では、カメラモジュール１１１が小型化される等して設計変更されると、カメラモジュール１１１をプリント配線基板１１２に接続固定させる従来のカメラモジュール用のコネクタ１１４は、プリント配線基板１１２へのカメラモジュール１１１の実装に用いることができなくなってしまう。
【０００７】
従って従来は、プリント配線基板１１２に、異なるグレードあるいは異なる機能を有したカメラモジュール１１１をそれぞれ実装することで、異なる機種の携帯電話を製造する場合には、カメラモジュール１１１のグレードあるいは機能が異なることでその形状も異なるので、コネクタ１１４の形状をそれぞれのカメラモジュール１１１形状に合わせて製造しなければならず、コネクタ１１４を変更すると共にプリント配線基板１１２をも変更しなければならないという問題点を有した。
そして、これら問題点によって製造コストの上昇を招き、より安価な製品を提供できない。
【０００８】
そこでこの発明は上記問題点に鑑み、異なる形状の電子モジュールに対しても共用可能な、汎用性のある電子モジュール用ソケットを提供することを課題とする。
【課題を解決するための手段】
【０００９】
この発明は上記課題を達成するため、カメラモジュール等の電子モジュールを挿入可能なソケットと、ソケットに挿入可能なアダプタから構成する電子モジュール用ソケットとして、
【００１０】
電子モジュール（Ｍ）を挿入係止させる挿入部（２１ａ）を形成し、挿入部（２１ａ）の側壁（２３）には挿入された電子モジュール（Ｍ）を係止して固定するソケット係止部（２４）を備えるソケット本体（２）からなる電子モジュール用ソケットにおいて、挿入部（２１ａ）に適合する形状の電子モジュール（Ｍ）ではモジュール係止部（Ｍ５）が形成され、ソケット係止部（２４）と係止固定可能であり、ソケット本体（２）の挿入部（２１ａ）より小さな電子モジュール（Ｍ’）では、内側が電子モジュール（Ｍ’）を挿入可能な形状からなり、外側がソケット本体（２）の挿入部（２１ａ）内に適合可能な形状を成すと共にソケット係止部（２４）と係止されるスペーサ係止部（３３）を設けたスペーサ（３）を介して挿入部（２１ａ）へ挿入し係止固定可能であることを特徴とする電子モジュ−ル用ソケット。
【００１１】
を提供する。これにより、電子モジュールソケットでは、該ソケットの挿入部に挿入可能な形状の電子モジュールは、該電子モジュールそのものを直接挿入部へ挿入してソケット係止部によって電子モジュールを係止固定する。また、挿入部の形状より小さな電子モジュールでは、該電子モジュールを挿入可能な内側形状のスペーサの内側に該電子モジュールを挿入したうえで該電子モジュールをスペーサと共に電子モジュールソケットの挿入部へ挿入する。すると、スペーサに設けたスペーサ係止部がソケット本体に設けたソケット係止部と係止することで、挿入部の形状より小さな電子モジュールおよびスペーサはソケット本体に係止固定される。
【発明の効果】
【００１２】
従って、この発明によれば、電子モジュール用ソケットは、スペーサ内にソケット本体より小さな電子モジュールを挿入し、スペーサを介して電子モジュールソケットの挿入部へ挿入固定することで、電子モジュールソケットの形状に合った電子モジュールソケット以外の形状の電子モジュールを係止固定可能となるので、種々の電子モジュールに対して電子モジュールソケットの汎用が可能となり、部品コストの低減が可能となる。
【発明を実施するための最良の形態】
【００１３】
ソケット本体を方形の升形状に形成する。ソケット本体は外側底面がプリント配線基板等の電子部材に固定される。ソケット本体の内側底部にはコンタクト部を設ける。コンタクトはソケット本体の内側から外側にかけて設け、内側先端部はばね力を有する内側コンタクト部を形成し、外側はプリント配線基板等の電子部材に電気的に接続される外側コンタクト部を形成し、ソケット本体の内側と外側とを電気的に接続させる。そして、挿入される電子モジュールの接触部と内側コンタクト部が接触することで、ソケット本体内の電子モジュールの接触部とソケット本体外部のプリント配線板等の電子部材とが電気的に接続されることとなる。
【００１４】
該接続を確実にさせるために、ソケット本体の四方の側壁にはソケット係止部を備える。ソケット係止部は、く字状に折曲された板ばね状の突片が四方の側壁角部の開口側上部から対向壁側へ突出され、且つ付勢された状態に設ける。
このように設けるソケット係止部は、ソケット本体に電子モジュールが挿入された際、電子モジュールに押圧され付勢力に抗して側壁側へ移動されるので、電子モジュールはソケット本体内へ挿入可能である。そして、電子モジュールがソケット本体に挿入され、コンタクトの内側コンタクト部が電子モジュールの接触部と接触された状態でソケット係止部が電子モジュールによる押圧から解除されて付勢力により元の位置に移動され、挿入された電子モジュールに係止することで電子モジュールをソケット本体内に係止固定する。勿論、電子モジュール自身も、ソケット本体のソケット係止部と係止可能なモジュール係止部を、挿入時ソケット係止部と対向する位置に設け、挿入完了時には内側コンタクト部と接触部との電気的接続が確保された状態でソケット係止部がモジュール係止部と係止して電子モジュールがソケット本体内に固定されるように構成されている。
【００１５】
電子モジュール用ソケットでは、ソケット係止部をソケット本体の四方の側壁に設けることによって挿入された電子モジュールを挿入方向と直交する平面内に移動しないよう固定できる。
一方、電子モジュール用ソケットのソケット本体に設ける挿入部より小さな電子モジュールを該ソケット本体に固定する場合には、該電子モジュールを固定するためのスペーサを、該電子モジュールに被せて固定する。
その際利用するスペーサは、内側形状が電子モジュール用ソケットに固定させたい小さな電子モジュールに被せて、スペーサをソケット本体に固定した際にスペーサ内から移動できないような嵌合可能な形状を成す。
【００１６】
更にスペーサの外側形状は、ソケット本体の挿入部である中空部と同形状をなし、上面にはソケット本体のソケット係止部と係止可能なスペーサ係止部を形成する。スペーサ係止部は、スペーサをソケット本体内に挿入した際にソケット係止部と対向する位置に設ける凹部からなる。そしてスペーサ係止部は、スペーサ挿入時にはソケット係止部をソケット本体の側壁側へ押圧して移動させ、挿入完了時にはスペーサ係止部がソケット係止部より下方へ位置されるので、ソケット係止部が自身の付勢力により再び元の位置へ戻り、ソケット係止部先端がスペーサ係止部と係止してスペーサ自身がソケット本体から脱抜しないように係止固定される構造である。
【００１７】
このように構成するスペーサをソケット本体に設ける挿入部より小さな電子モジュールに被せて嵌合させ、スペーサと嵌合した該電子モジュールをソケット本体の挿入部へ挿入すると、ソケット本体のソケット係止部はスペーサの外側に押圧されて側壁側へ移動され、スペーサおよび該電子モジュールがソケット本体内へ挿入される。そして、スペーサに形成したスペーサ係止部がソケット係止部より下方へ移動してソケット本体の内側コンタクト部と該電子モジュールの接触部とが接触し電気的に接続された状態となると、ソケット係止部は自身の付勢力により元の位置へ戻りソケット係止部の先端がスペーサ係止部と係止し、ソケット本体内にスペーサを介して電子モジュールを固定する。
【実施例１】
【００１８】
以下に、この発明の実施例を図面に基づき説明する。図１はこの発明の実施例である電子モジュール用ソケットを斜め上方から見た斜視説明図であり、図２はこの発明の実施例である電子モジュール用ソケットのソケット本体を斜め上方から見た斜視説明図であり、図３は同斜め下方から見た斜視説明図であり、図４はカメラモジュールを表す斜視説明図であり、図５は同説明図であり（ａ）は正面説明図、（ｂ）は平面説明図、（ｃ）は底面説明図である。図６はカメラモジュールＭ’を表す説明図であり（ａ）は正面図、（ｂ）は平面図、（ｃ）は底面図であり、図７はスペーサを表す説明図であり（ａ）は正面説明図、（ｂ）は平面説明図、（ｃ）は底面説明図、（ｄ）は中央縦断面説明図である。図８はスペーサを介してカメラモジュールＭ’をソケット本体へ係止した状態を表す斜視説明図である。
【００１９】
１は、この発明の実施例である電子モジュール用ソケットである。電子モジュール用ソケット１は、図１に表すようにソケット本体２とスペーサ３とからなり、スペーサ３が電子モジュールであるカメラモジュールＭに嵌合してスペーサ３を介してカメラモジュールＭをソケット本体２へ挿入固定する。
ソケット本体２は、図２および図３に表すように、ソケット本体を形成する筐体２１によって形作られる。筐体２１は、図２に表すように、上面である一方面を開口した升形状からなり、底部２６には複数のコンタクト２２を備える。更に筐体２１の各側壁２３の内側面、且つ左右端部にはソケット係止部２４を備える。また、図３に表すように筐体２の底面外側には四方角部にそれぞれ固定部２５を設ける。固定部２５は角部に２箇所ずつ形成し、ソケット本体２をプリント配線基板等の電子部材に固定する。更に、底面外側にはコンタクト２２の一端である外側コンタクト部２２ａが露出される。コンタクト部２２ａはソケット本体２を固定するプリント配線基板等の電子部材に固定し、コンタクト２２によってソケット本体２の内部および外部を電気的に接続させる。そして、これら固定部２５および外側コンタクト部２２ａは、それぞれペースト半田等によってソケット本体２を固定する基板等の電子部材に固定する。
【００２０】
次いで、ソケット本体２を構成する各部材の詳細を説明する。
筐体２１は、升形状の絶縁部材からなる基台に、「∩」字状に折曲形成した金属部材を各側壁２３に固定してなり、金属部材の側壁２３両端部側には筐体２１内側の一部を切欠すると共に内方へ突設してばね力を持たせてソケット係止部２４を形成する。このソケット係止部２４は、側壁高さの略中央に先端部が位置し、側壁２３から内側へ突出している状態で切片状に設け、押圧されることでばね力による付勢力に抗して側壁２３側へ移動可能である。このように形成する筐体２１は升形状の空間部がカメラモジュールＭを挿入係止させる挿入部２１ａを形成する。
コンタクト２２は、導電性のばね力を備える金属板からなり、筐体２１の底部２６に複数固定され、一端を筐体２１外側の底面２６ａに設け外側コンタクト部２２ａを形成し、他端を筐体２１内側の底面２６ｂに突設して内側コンタクト部２２ｂを形成する。外側コンタクト部２２ａは、外側底面２６ａ表面に位置するように配置して固定する。外側コンタクト部２２ａは、ペースト半田等によって外側底面２６ａに配置されるプリント配線基板等の電子部材と電気的に接続される。内側コンタクト部２２ｂは、先端部を「へ」字状に折曲させた凸状の接点を形成して内側底面２６ｂから上面側へばね力によって突設した状態を維持する。このようにコンタクト２２を形成して配置することで、筐体２１の挿入部２１ａに挿入されるカメラモジュールＭとソケット本体２の外側底面２６ａが固定されるプリント配線基板等の電子部材とを電気的に接続させる。
【００２１】
次いで、ソケット本体２の形状に合ったカメラモジュールＭの詳細を説明する。尚、この実施例では説明のため電子モジュールをカメラモジュールＭあるいはカメラモジュールＭ’とするが、他の電子モジュールであっても良い。
カメラモジュールＭは、携帯電話等に搭載する小型カメラを構成するカメラモジュールであり、一辺が１０ｍｍ程度の方形からなり、図４および図５に表すように、内部にレンズ部等を内包するモジュール筐体Ｍ１がソケット本体２の挿入部２１ａ形状をなす。モジュール筐体Ｍ１の底面Ｍ２には接点Ｍ３が２０箇所程度の複数設けられており、接点Ｍ３によってカメラモジュールＭへの電力の供給および撮像した画像情報の出力等を行う。接点Ｍ３は、筐体２１の内側底面２６ｂに設けた内側コンタクト部２２ｂと対向する位置に設け、筐体２１へ挿入時には内側コンタクト部２２ｂと接触される。また、モジュール筐体Ｍ１には、方形をなす上面Ｍ４の角部それぞれにモジュール係止部Ｍ５を切欠して形成する。モジュール係止部Ｍ５は、カメラモジュールＭを挿入部２１ａへ挿入して接点Ｍ３がコンタクト２２の内側コンタクト部２２ｂを押圧して電気的な接続状態を確保して固定する際に筐体２１のソケット係止部２４と対向位置に設け、挿入固定時には挿入部２１ａから離脱しないように内側コンタクト部２２ｂへ接点Ｍ３を押圧接触させた状態でソケット係止部２４が係止し固定される。従って、ソケット本体２のソケット係止部２４が各角部に２箇所直角に設けてあるので、角部に形成するモジュール係止部Ｍ５は、ソケット係止部２４と対向するよう平面視「Ｌ」字状に切欠して形成する。
【００２２】
上述のように構成するカメラモジュールＭは、その形状・大きさがソケット本体２に対応したものなので、ソケット本体２の挿入部２１ａへ直接挿入してソケット係止部２４とモジュール係止部Ｍ５とを係止させて固定できる。
次いで、本発明の要旨であるソケット本体２に対応していないカメラモジュールＭ’を挿入固定する場合を説明する。この実施例ではカメラモジュールＭ’はソケット本体２の挿入部２１ａよりやや小さい一辺が８ｍｍ程度の方形からなり、図６に表すように、内部にレンズ部等を内包するモジュール筐体Ｍ’１がソケット本体２の挿入部２１ａと相似形状をなす。モジュール筐体Ｍ’１の底面Ｍ’２には接点Ｍ’３が２０箇所程度の複数設けられており、接点Ｍ’３によってカメラモジュールＭへの電力の供給および撮像した画像情報の出力等を行う。接点Ｍ’３は、筐体２１の内側底面２６ｂに設けた内側コンタクト部２２ｂと対向する位置に設け、筐体２１へ挿入時には内側コンタクト部２２ｂと接触される。カメラモジュールＭ’のその他の構成はカメラモジュールＭ同様である。
【００２３】
次いで、上記カメラモジュールＭ’をソケット本体２へ接続固定するためのスペーサ３について説明する。
スペーサ３は、図１、図７および図８に表すように、中空な枠体３１からなり、外側形状がソケット本体２へ挿入可能であると共にソケット係止部２４と係止可能な形状からなる。即ち枠体３１は、外側形状がカメラモジュールＭの上面より下の外側形状と同形状に形成する。そして、スペーサ３の内側にカメラモジュールＭ’を嵌入させた状態でカメラモジュールＭ’共々スペーサ３をソケット本体２の挿入部２１ａへ挿入固定する。従って、方形からなる上面３２の角部にはカメラモジュールＭのモジュール係止部Ｍ５同様にソケット係止部２４と係止可能なスペーサ係止部３３を切欠して形成する。
【００２４】
また、スペーサ３の内側形状は、カメラモジュールＭ’を挿入可能な形状からなり一辺の長さがカメラモジュールＭ’の外側の一辺と同長に形成する。更に、スペーサ３の内側には、上面３２側にスペーサ内側係止部３４を突設する。スペーサ内側係止部３４は、カメラモジュールＭ’のモジュール係止部Ｍ’５と対向するよう平面視「Ｌ」字状に突設して形成する。このようにスペーサ内側係止部３４を形成することで、カメラモジュールＭ’をスペーサ３の底面３５側から挿入した際に、カメラモジュールＭ’のモジュール係止部Ｍ’５がスペーサ内側係止部３４と当接して上面側へ移動できなくなる。従って、カメラモジュールＭ’とスペーサ３とを係止した状態では、カメラモジュールＭ’およびスペーサ３との合体した外側形状はカメラモジュールＭと同形状となるので、モジュール係止部Ｍ’５がスペーサ内側係止部３４と当接した状態でスペーサ３およびカメラモジュールＭ’をソケット本体２の挿入部２１ａへ挿入すると、カメラモジュールＭ’はソケット本体２へ挿入固定される。
【００２５】
尚、この実施例では、底面Ｍ２からモジュール係止部Ｍ５までの寸法、および、底面Ｍ’２からモジュール係止部Ｍ’５までの寸法、並びに、底面３５からスペーサ係止部３３・スペーサ内側係止部３４それぞれの下端までの寸法を同寸とすることで、ソケット本体２へカメラモジュールＭ、およびカメラモジュールＭ’とスペーサ３を挿入したときにそれぞれ高さ方向への移動が無く、ソケット本体２の内側コンタクト部２２ｂに押圧されて良好な電気的接続がなされる。しかしながら、スペーサ３のスペーサ内側係止部３４およびカメラモジュールＭ’のモジュール係止部Ｍ’５は、底面からの寸法がモジュール係止部Ｍ５およびスペーサ係止部３３と必ずしも同じである必要はなく、スペーサ内側係止部３４とモジュール係止部Ｍ’５とが同じ寸法であれば足りる。
また、ソケット本体２のソケット係止部２４はこの実施の形態では、各角部に２箇所ずつ設けたが、対向する一対の角部だけに２箇所ずつ設けるよう構成しても良いし、対向する一対の側壁２３の左右両側に設けるよう構成してもよく、挿入部２１ａへ挿入されるカメラモジュールＭあるいはスペーサ３と嵌合したカメラモジュールＭ’を、内側コンタクト部２２ｂと電気的に良好に接続できればよい。そして、カメラモジュールＭ’のモジュール係止部Ｍ５およびスペーサ３のスペーサ係止部３３も、それぞれソケット係止部２４と係止する位置、即ちソケット係止部２４と対向する位置に設ければよい。
【００２６】
更にまた、この実施例ではソケット本体２の挿入部２１ａ形状およびスペーサ３の外形形状が平面視正方形であるが、長方形や円形、楕円形等他の形状からなっても良く、挿入部２１ａへ挿入されるスペーサ３の位置決めおよび固定ができれば、どの様な形状からなっても良く、ソケット係止部２４およびスペーサ係止部３３もそれぞれ対向する位置に設けて係止可能であれば、特にその形状や係止方法は限定されない。
更にまた、スペーサ３の内側形状は、カメラモジュールＭ’を嵌入して係止可能な形状とするため上記説明の形状としたが、挿入部２１ａより小さなカメラモジュールの外側形状が他の形状であれば、スペーサ３の内側形状もその形状に合わせて形成し、挿入部２１ａより小さなカメラモジュールが上面側へ移動できないよう上面側への移動を阻止可能に形成できれば、スペーサ３の内側形状はどの様な形状でも良い。
【産業上の利用可能性】
【００２７】
本願発明は、電子モジュールを基板に電気的に接続すると共に固定するための電子モジュール用ソケット、同電子モジュール用のコネクタ、更にはこれらを用いた電子モジュールの基板への実装方法に利用可能であり、特に携帯電話等小型化された電子機器の製造時に利用可能である。
【図面の簡単な説明】
【００２８】
【図１】この発明の実施例である電子モジュール用ソケットを斜め上方から見た斜視説明図
【図２】この発明の実施例である電子モジュール用ソケットのソケット本体を斜め上方から見た斜視説明図
【図３】この発明の実施例である電子モジュール用ソケットのソケット本体を斜め下方から見た斜視説明図
【図４】カメラモジュールＭを表す斜視説明図
【図５】カメラモジュールＭを表す説明図であり（ａ）は正面図、（ｂ）は平面図、（ｃ）は底面図
【図６】カメラモジュールＭ’を表す説明図であり（ａ）は正面図、（ｂ）は平面図、（ｃ）は底面図
【図７】スペーサを表す説明図であり、（ａ）は正面説明図、（ｂ）は平面説明図、（ｃ）は底面説明図、（ｄ）は（ａ）の中央縦断面説明図
【図８】スペーサを介してカメラモジュールＭ’をソケット本体へ係止した状態を表す斜視説明図
【図９】従来例を表す説明図
【符号の説明】
【００２９】
Ｍ    カメラモジュール
Ｍ１    モジュール筐体
Ｍ２    底面
Ｍ３    接点
Ｍ４    上面
Ｍ５    モジュール係止部
Ｍ’  カメラモジュール
Ｍ１’  モジュール筐体
Ｍ２’  底面
Ｍ３’  接点
Ｍ４’  上面
Ｍ５’  モジュール係止部
１    電子モジュール用ソケット
２    ソケット本体
２１    筐体
２１ａ  挿入部
２２    コンタクト
２２ａ  外側コンタクト部
２２ｂ  内側コンタクト部
２３    側壁
２４    ソケット係止部
２５    固定部
２６    底部
２６ａ  外側底面
２６ｂ  内側底面
３    スペーサ
３１    枠体
３２    上面
３３    スペーサ係止部
３４    スペーサ内側係止部
３５    底面
【図５】
2006079871.tif 000003
【図６】
2006079871.tif 000004
【図７】
2006079871.tif 000005
【図９】
2006079871.tif 000006
【図１】
2006079871.tif 000007
【図２】
2006079871.tif 000008
【図３】
2006079871.tif 000009
【図４】
2006079871.tif 000010
【図８】
2006079871.tif 000011